(57)【特許請求の範囲】
【請求項１】
回路基板と、
前記回路基板を収容する周壁部を有するケースと、
前記回路基板に電気的に接続されると共に、前記ケースの外部に引き出される導出部を有するバスバーと、
前記バスバーの導出部と電線の接続端子とを接続する電源端子と、
前記電源端子を覆うように前記ケースに対して上方から組み付けられ、前記周壁部の側面の外側に重なる側壁を有するカバーと、を備え、
前記ケースの周壁部の側面には、前記カバーの側壁の下端面が突き当たる段差面を有し、
前記ケースの周壁部の側面と前記カバーの側壁のいずれか一方に、他方に向けて突出する係合凸部を有し、他方に前記係合凸部が係合される係合凹部を有し、
前記ケースの周壁部の段差面と前記カバーの側壁の下端面との境界部分に、前記係合凸部と前記係合凹部との係合状態を解除する工具を差し込む工具差込み凹部が設けられており、
前記工具差込み凹部は、前記周壁部の側面の外側から内側に向けて前記段差面を切り欠いて形成されている基板ユニット。
【請求項２】
前記工具差込み凹部が、前記係合凸部と前記係合凹部とで構成される係合部の延長下部に設けられている請求項１に記載の基板ユニット。
【請求項３】
前記工具差込み凹部が、前記工具の差し込み方向にテーパ面を有する請求項１又は請求項２に記載の基板ユニット。
【請求項４】
前記係合凸部が前記ケースの周壁部の側面に設けられ、前記係合凹部が前記カバーの側壁に設けられており、
前記係合凹部が貫通孔である請求項１から請求項３のいずれか１項に記載の基板ユニット。
【発明の詳細な説明】
【技術分野】
【０００１】
本発明は、基板ユニットに関する。
【背景技術】
【０００２】
車載用の基板ユニットにおいて、ケースに対してカバーを組み付ける係合構造（ロック構造）として、例えば、ケースの側面に係合突起を設け、ケースの側面に重なるカバーの側壁に係合突起が係合される係合孔を設ける構成が挙げられる（特許文献１、２を参照）。ケースの係合突起とカバーの係合孔との係合により、ケースとカバーとが組み付けられた状態で係合する。
【０００３】
また、例えば、特許文献３には、本体５の左右の周壁１２から係合突起１８が突設された本体側係合部１５と、蓋体７の左右の周壁１９に設けられて係合突起１８に係合する係合枠２１を有する蓋体側係合部１７とを備えるロック構造３が記載されている（特許文献３の図１、図２参照）。特許文献３のロック構造では、係合突起１８と係合枠２１とが係合したロック状態において、工具３１の先端部を係合枠２１と本体５の周壁１２との間に差し込み、係合枠２１を本体５から浮き上がらせることにより、係合突起１８と係合枠２１との係合状態を解除できるようになっている。特許文献３には、工具によりロック解除を簡単に行うことができることが記載されている。
【先行技術文献】
【特許文献】
【０００４】
【特許文献１】特開２００５−１５１６１３号公報
【特許文献２】特開２００６−２７５０８４号公報
【特許文献３】特開２０１１−２４４６４７号公報
【発明の概要】
【発明が解決しようとする課題】
【０００５】
基板ユニットにおいて、カバーを必要に応じて取り外すことがあり、カバーはケースに対して脱着可能であることが求められる。よって、ケースとカバーとの係合を簡単に解除できることが望まれる。
【０００６】
しかしながら、例えば、特許文献２に記載のロック構造のように、ケース２０の枠体２１に段差面２３Ａが形成され、段差面２３Ａにカバー３０の側壁部３２の下端面が突き当たるようにされている場合、側壁部３２の下端面が全長に亘って段差面２３Ａと当接することになる（特許文献２の図４、図５を参照）。この場合、ケース２０の枠体２１とカバー３０の側壁部３２との間に工具（例えばマイナスドライバーなど）の先端部を差し込むことができず、また、段差面２３Ａと側壁部３２の下端面との境界にも工具を差し込むことが困難である。そのため、特許文献２に記載のロック構造では、工具を用いてケースとカバーとの係合を解除することが難しい。
【０００７】
そこで、ケースとカバーとの係合を簡単に解除できる基板ユニットを提供することを目的の一つとする。
【課題を解決するための手段】
【０００８】
本開示に係る基板ユニットは、
回路基板と、
前記回路基板を収容する周壁部を有するケースと、
前記回路基板に電気的に接続されると共に、前記ケースの外部に引き出される導出部を有するバスバーと、
前記バスバーの導出部と電線の接続端子とを接続する電源端子と、
前記電源端子を覆うように前記ケースに対して上方から組み付けられ、前記周壁部の側面の外側に重なる側壁を有するカバーと、を備え、
前記ケースの周壁部の側面には、前記カバーの側壁の下端面が突き当たる段差面が形成され、
前記ケースの周壁部の側面と前記カバーの側壁のいずれか一方に、他方に向けて突出する係合凸部が設けられ、他方に前記係合凸部が係合される係合凹部が設けられ、
前記ケースの周壁部の段差面と前記カバーの側壁の下端面との境界部分に、前記係合凸部と前記係合凹部との係合状態を解除する工具を差し込む工具差込み凹部が設けられている。
【発明の効果】
【０００９】
上記基板ユニットは、ケースとカバーとの係合を簡単に解除できる。
【図面の簡単な説明】
【００１０】
【図１】実施形態１に係る基板ユニットを示す概略斜視図である。
【図２】実施形態１に係る基板ユニットの概略分解斜視図である。
【図３】実施形態１に係る基板ユニットの別の概略分解斜視図である。
【図４】実施形態１に係る基板ユニットの要部を拡大して示す概略側面図である。
【図５】実施形態１における工具差込み凹部を拡大して示す概略上面図である。
【発明を実施するための形態】
【００１１】
［本発明の実施形態の説明］
最初に本発明の実施態様を列記して説明する。
【００１２】
（１）本発明の一態様に係る基板ユニットは、
回路基板と、
前記回路基板を収容する周壁部を有するケースと、
前記回路基板に電気的に接続されると共に、前記ケースの外部に引き出される導出部を有するバスバーと、
前記バスバーの導出部と電線の接続端子とを接続する電源端子と、
前記電源端子を覆うように前記ケースに対して上方から組み付けられ、前記周壁部の側面の外側に重なる側壁を有するカバーと、を備え、
前記ケースの周壁部の側面には、前記カバーの側壁の下端面が突き当たる段差面が形成され、
前記ケースの周壁部の側面と前記カバーの側壁のいずれか一方に、他方に向けて突出する係合凸部が設けられ、他方に前記係合凸部が係合される係合凹部が設けられ、
前記ケースの周壁部の段差面と前記カバーの側壁の下端面との境界部分に、前記係合凸部と前記係合凹部との係合状態を解除する工具を差し込む工具差込み凹部が設けられている。
【００１３】
上記基板ユニットによれば、ケースの周壁部の側面とカバーの側壁のいずれか一方に設けられた係合凸部と、他方に設けられた係合凹部とが係合されることで、ケースとカバーとが組み付けられた状態で係合する。更に、ケースの周壁部の段差面とカバーの側壁の下端面との境界部分に工具差込み凹部が設けられている。そのため、工具差込み凹部に工具を差し込み、カバーの側壁をケースの周壁部の側面から離れる方向に変形させることで、工具により係合凸部と係合凹部との係合状態を解除することが可能である。したがって、上記基板ユニットは、工具を用いてケースとカバーとの係合を簡単に解除でき、カバーをケースから容易に取り外すことができる。
【００１４】
また、ケースの周壁部の側面に、カバーの側壁の下端面が突き当たる段差面が形成されていることから、ケースとカバーとが組み付けられた状態で、周壁部の側面と側壁の外面とを実質的に面一にすることが可能である。そのため、ケースの周壁部の側面に対してカバーの側壁が突出せず、ケースにおける回路基板を収容する収容空間を最大限確保しつつ、基板ユニットのサイズを小型化できる。よって、上記基板ユニットは、車両の限られた搭載スペースに配置でき、搭載スペースを最大限活用できる。
【００１５】
（２）上記基板ユニットの一形態として、前記工具差込み凹部が、前記係合凸部と前記係合凹部とで構成される係合部の延長下部に設けられていることが挙げられる。
【００１６】
工具差込み凹部が、係合凸部と係合凹部とで構成される係合部の延長下部に設けられていることで、工具差込み凹部と係合部との距離が近い。そのため、工具差込み凹部に工具を差し込んで、カバーの側壁における係合部が構成されている部分をケースの周壁部の側面から離れる方向に弾性変形させ易い。したがって、上記形態によれば、工具により係合凸部と係合凹部との係合状態を解除し易く、ケースとカバーとの係合解除をより簡単にでき、カバーの取り外しが容易になる。
【００１７】
（３）上記基板ユニットの一形態として、前記工具差込み凹部が、前記ケースの段差面に設けられていることが挙げられる。
【００１８】
工具差込み凹部がケースの周壁部に形成された段差面に設けられている場合、ケースの周壁部の段差面とカバーの側壁の下端面との境界よりも下側に工具差込み凹部が位置することになる。そのため、万一、基板ユニットの外から水がかかったとき、カバーに付着した水滴が側壁を伝って工具差込み凹部からカバー内に水が浸入することを抑制できる。仮に、カバー内に水が入っても、工具差込み凹部からカバー外に水が排出され易い。したがって、上記形態によれば、カバーの側壁に付着した水滴が工具差込み凹部からケースの周壁部の段差面を通ってケース内に浸入することを抑制でき、ケース内の回路基板を保護できる。
【００１９】
（４）上記基板ユニットの一形態として、前記工具差込み凹部が、前記工具の差し込み方向にテーパ面を有することが挙げられる。
【００２０】
基板ユニットは、例えば、車両の車室などに配置することが検討されている。基板ユニットの配置箇所によっては、工具差込み凹部に工具を差し込む際に周辺部材と工具が干渉して、工具差込み凹部に正面方向から工具を差し込むことができない場合があり、斜め方向から差し込むことがある。工具差込み凹部に工具の差し込み方向にテーパ面が形成されていることで、工具をテーパ面に沿って案内することができ、工具差込み凹部に工具を差し込み易い。したがって、上記形態によれば、カバーの取り外し作業を行い易い。
【００２１】
（５）上記基板ユニットの一形態として、前記係合凸部が前記ケースの周壁部の側面に設けられ、前記係合凹部が前記カバーの側壁に設けられており、前記係合凹部が貫通孔であることが挙げられる。
【００２２】
カバーに係合凹部が設けられ、この係合凹部が貫通孔であることで、ケースにカバーを組み付けた際に、ケースに設けられた係合凸部がカバーの係合凹部（貫通孔）に係合したことを、貫通孔を通して目視で確認できる。したがって、係合凸部と係合凹部（貫通孔）との係合状態をカバーの外側から目視で確認できるので、ケースへのカバーの組み付け作業を確実に行うことができる。
【００２３】
［本発明の実施形態の詳細］
本発明の実施形態に係る基板ユニットの具体例を、以下に図面を参照しつつ説明する。図中の同一符号は同一名称物を示す。
【００２４】
［実施形態１］
＜基板ユニット＞
図１〜図５を参照して、実施形態１に係る基板ユニット１を説明する。
【００２５】
基板ユニット１は、主に図１〜図３に示すように、回路基板１０（図３参照）と、回路基板１０を収容するケース４０と、回路基板１０に電気的に接続されるバスバー６０（図３参照）と、バスバー６０の導出部６２と電線１００の接続端子１１０とを接続する電源端子８０（図２参照）と、電源端子８０を覆うカバー５０とを備える。ケース４０は、下部ケース４１と上部ケース４４とで構成されている（図２、図３参照）。この基板ユニット１の特徴の１つは、ケース４０とカバー５０との係合構造にあり、ケース４０とカバー５０とが組み付けられた状態において、互いに係合される係合機構と、係合機構の係合を解除する解除機構とを備える点にある。具体的には、図１、図２に示すように、係合機構として、ケース４０及びカバー５０に互いに係合される係合凸部４３３及び係合凹部５３が設けられており、係合凸部４３３と係合凹部５３との係合により係合部５８（図１中、一点差線で囲む部分拡大図を参照）が構成されている。また、解除機構として、ケース４０の周壁部４３（側壁部４３ｓ）の段差面４３５とカバー５０の側壁５２の下端面との境界部分に、係合凸部４３３と係合凹部５３との係合状態を解除する工具（図示せず）を差し込む工具差込み凹部４３７が設けられている。
【００２６】
以下、基板ユニット１の構成を詳しく説明する。以下の説明では、基板ユニット１において、カバー５０側を上、ケース４０側を下とし、上下方向と直交する方向であって、コネクタ部２０が配置される側を前、その反対側を後とする。上下方向及び前後方向の両方向に直交する方向を左右とする。図では、矢印Ｚ方向を上方、矢印Ｙ方向を前方、矢印Ｘ方向を右方とする。
【００２７】
（回路基板）
回路基板１０は、図３に示すようにバスバー６０上に配置され、回路基板１０上には、ＦＥＴ（Ｆｉｅｌｄ  ｅｆｆｅｃｔ  ｔｒａｎｓｉｓｔｏｒ）といったスイッチング素子等の電子部品（図示略）やコネクタ部２０が実装されている。
【００２８】
（バスバー）
バスバー６０は、電力用の導電路を構成する板状の部材であり、回路基板１０の下面側に固定され、回路基板１０に電気的に接続される。
【００２９】
バスバー６０は、回路基板１０が配置される略矩形状の中央部と、その中央部から屈曲して左右両側に延びる導出部６２を有する。各導出部６２は、図２に示すようにケース４０の外部に引き出される部分であり、電線１００（ワイヤーハーネス）の接続端子１１０が電気的に接続される。各導出部６２には、後述する電源端子８０の軸部８２が挿通される挿通孔６２ｈが形成されている。
【００３０】
（ケース）
ケース４０は、図２、図３に示すように、バスバー６０が一体化された回路基板１０を内部に収容する。ケース４０は、下部ケース４１と上部ケース４４とを有し、下部ケース４１と上部ケース４４とが互いに組み付けられて構成されている。ケース４０には、コネクタ部２０に対応する位置に開口部４８が形成されている。
【００３１】
（下部ケース）
下部ケース４１は、図３に示すように、回路基板１０を支持する底板部４２と、回路基板１０を収容する周壁部４３とを有し、収容空間４１０を形成する。
【００３２】
〈周壁部〉
周壁部４３は、略矩形枠状の部材であり、回路基板１０の外周の四方を囲む。周壁部４３のうち、前側の前壁部４３ｆには、開口部４８（図２参照）を形成する下側凹部４３０が形成されている。また、左右両側の側壁部４３ｓには、電源端子８０が固定される端子台４３４が形成されており、バスバー６０の導出部６２が端子台４３４に載置されている。
【００３３】
〈電源端子〉
電源端子８０は、端子台４３４から上方に突設される軸部８２を有し、バスバー６０の導出部６２に形成された挿通孔６２ｈに軸部８２が挿通される。この例では、電源端子８０がスタッドボルトであり、軸部８２には雄ネジが形成されている。そして、図２に示すように、電線１００の接続端子１１０に形成された挿通孔に軸部８２を挿通し、ナット等を軸部８２に螺合することにより、バスバー６０の導出部６２と電線１００の接続端子１１０とが密着して電気的に接続される。
【００３４】
〈底板部〉
底板部４２は、略矩形板状の部材であり、回路基板１０の下面側に配置され、バスバー６０の中央部が載置される。
【００３５】
〈係合突起〉
下部ケース４１は、周壁部４３の上面に、後述する上部ケース４４の周壁４６が差し込まれる差込溝４３１が形成されている。差込溝４３１の内周側の壁面には、上部ケース４４と係合するための係合突起４３２が設けられている。係合突起４３２は、差込溝４３１の壁面から突出し、下方に向かって肉厚が厚くなるようにくさび状に形成されている。下部ケース４１と上部ケース４４との係合構造の詳細は後述する。
【００３６】
〈係合凸部〉
また、左右両側の側壁部４３ｓの側面には、後述するカバー５０の側壁５２（図１、図２参照）に向かって突出し、カバー５０と係合するための係合凸部４３３が設けられている。また、側壁部４３ｓの側面には、カバー５０の側壁５２の下端面が突き当たる段差面４３５が形成されており、端子台４３４の側面は段差面４３５の下側の面よりも左右方向の内側に位置している。側壁部４３ｓの側面に段差面４３５が形成されていることにより、ケース４０とカバー５０とが組み付けられた状態（図１参照）において、側壁部４３ｓの側面と側壁５２の外面とが実質的に面一になっている。段差面４３５には、後述する工具差込み凹部４３７が設けられている。ケース４０（下部ケース４１）とカバー５０との係合構造の詳細は後述する。
【００３７】
（上部ケース）
上部ケース４４は、図３に示すように、下部ケース４１の収容空間４１０を上方から覆う部材であり、回路基板１０の上面側に配置される天板部４５と、天板部４５の周縁から下方に立設される周壁４６とを有する。天板部４５と周壁４６とは一体に構成されている。周壁４６のうち、前側の前壁４６ｆには、開口部４８（図２参照）を形成する上側凹部４６０が形成されている。
【００３８】
〈係合孔〉
周壁４６は、下部ケース４１に形成された差込溝４３１に差し込まれ、下部ケース４１と係合する部分である。周壁４６には、下部ケース４１の差込溝４３１に設けられた係合突起４３２が係合される係合孔４６２が設けられている。
【００３９】
《下部ケース４１と上部ケース４４との係合構造》
図２、図３に示すように、下部ケース４１（周壁部４３）の差込溝４３１に上部ケース４４の周壁４６を上方から差し込むことで、下部ケース４１に上部ケース４４が組み付けられ、下部ケース４１の係合突起４３２と上部ケース４４の係合孔４６２とが係合される。係合突起４３２と係合孔４６２との係合により、下部ケース４１と上部ケース４４とが組み付けられた状態で係合して、ケース４０が構成される（図２参照）。下部ケース４１と上部ケース４４との間には、バスバー６０の導出部６２をケース４０の外部に引き出すための隙間が設けられている。
【００４０】
（カバー）
カバー５０は、図１、図２に示すように、電源端子８０を覆うようにケース４０（下部ケース４１）に対して上方から組み付けられる部材である。カバー５０は、左右両側に電源端子８０を覆う覆部５１０が形成された上壁５１と、上壁５１の両側縁から下方に立設される左右一対の側壁５２とを有する。左右の側壁５２は、ケース４０の下部ケース４１と係合する部分であり、ケース４０を左右から挟むように、左右両側の側壁部４３ｓの側面の外側に重なるように配置される。
【００４１】
〈係合凹部〉
各側壁５２には、下部ケース４１の側壁部４３ｓ（端子台４３４）の側面に設けられた係合凸部４３３が係合される係合凹部５３が設けられている。この例では、前後方向（長手方向）の中央部に２つ並んで係合凹部５３が設けられており、係合凹部５３が貫通孔である。係合凸部４３３の最大突出高さは、上述したようにカバー５０の側壁５２の厚さよりも小さいため、係合凸部４３３が係合凹部５３内に収容され、側壁５２の外面から突出しない。図３、図４に示すように、各係合凹部５３の前後方向の両側には、側壁５２の下端から上方向に切りかかれたスリット５４が形成されており、各係合凹部５３は、両スリット５４に挟まれるロック片部５５に設けられている。
【００４２】
《ケース４０とカバー５０との係合構造》
図１、図２に示すように、ケース４０（下部ケース４１）の側面に上方からカバー５０の側壁５２を嵌め込むことで、ケース４０にカバー５０が組み付けられ、側壁部４３ｓ（端子台４３４）側面の係合凸部４３３と側壁５２の係合凹部５３とが係合される。係合凸部４３３と係合凹部５３との係合により係合部５８が構成され、ケース４０とカバー５０とが組み付けられた状態で係合する（図１参照）。この例では、側壁５２のロック片部５５（図３、図４参照）に係合凹部５３が設けられている。そのため、ケース４０に対して上方からカバー５０を組み付ける際に、ロック片部５５が係合凸部４３３に沿って弾性変形して乗り上げ、係合凹部５３に係合凸部４３３が係合する位置で弾性復帰する。
【００４３】
更に、本実施形態では、ケース４０（下部ケース４１）の側壁部４３ｓの段差面４３５とカバー５０の側壁５２の下端面との境界部分に工具差込み凹部４３７が設けられている。この工具差込み凹部４３７に、図示しない工具を差し込むことで、係合凸部４３３と係合凹部５３との係合状態を解除することができる。具体的には、工具差込み凹部４３７に工具の先端部を差し込み、カバー５０の側壁５２を側壁部４３ｓ（端子台４３４）の側面から浮き上がらせて、当該側面から離れる方向に弾性変形させることで、係合凸部４３３と係合凹部５３との係合状態を解除する。係合凸部４３３と係合凹部５３との係合状態を解除する工具には、例えば、先端部が尖った平板状の工具（例えばマイナスドライバーなど）を用いることが挙げられる。工具差込み凹部４３７について詳しく説明する。
【００４４】
〈工具差込み凹部〉
工具差込み凹部４３７は、ケース４０とカバー５０とが組み付けられた状態（図１参照）において、側壁部４３ｓの段差面４３５と側壁５２の下端面との境界部分に設けられている。工具差込み凹部４３７の形状及び寸法は、差し込まれる工具の先端部に対応した形状及び寸法である。この例では、図１、図２に示すように、工具差込み凹部４３７は段差面４３５に設けられており、工具差込み凹部４３７と側壁５２の下端面とで形成される開口の形状が略矩形状（図４参照）である。工具差込み凹部４３７は、図４に示すように、係合凸部４３３と係合凹部５３とで構成される各係合部５８から下方向に延長した部分（延長下部）にそれぞれ設けられている。具体的には、段差面４３５において、側壁５２の各ロック片部５５の下端面に対向する部分にそれぞれ設けられている。側壁５２の下端面のうち、ロック片部５５以外の下端面、即ち、ロック片部５５を挟んで前後方向の両側に位置する部分の下端面は段差面４３５に当接している。
【００４５】
また、この例では、工具差込み凹部４３７が、工具の差し込み方向にテーパ面４３７ａを有する（図２中、一点差線で囲む部分拡大図を参照）。具体的には、図５に示すように、前後方向（長手方向）に対向する一対の内側面のうち後側（図４の右側、図５の上側）の内側面に、工具差込み凹部４３７の開口幅が外方から内方に向かって幅が狭くなるテーパ面４３７ａが形成されている。そのため、工具差込み凹部４３７を平面視したとき、工具差込み凹部４３７の平面形状が略直角台形状（図５参照）である。
【００４６】
＜作用効果＞
実施形態１の基板ユニット１は、以下の作用効果を奏する。
【００４７】
（１）ケース４０（下部ケース４１）の側壁部４３ｓに設けられた係合凸部４３３とカバー５０の側壁５２に設けられた係合凹部５３との係合により、ケース４０とカバー５０とが組み付けられた状態で係合する。更に、ケース４０の側壁部４３ｓの段差面４３５とカバー５０の側壁５２の下端面との境界部分に工具差込み凹部４３７が設けられていることで、工具により係合凸部４３３と係合凹部５３との係合状態を解除することが可能である。具体的には、工具差込み凹部４３７に工具の先端部を差し込み、カバー５０の側壁５２をケース４０の側壁部４３ｓの側面から離れる方向に弾性変形させることで、係合凸部４３３と係合凹部５３との係合状態を解除する。よって、工具を用いてケース４０とカバー５０との係合を簡単に解除でき、カバー５０をケース４０から容易に取り外すことができる。
【００４８】
また、ケース４０の側壁部４３ｓの側面にカバー５０の側壁５２の下端面が突き当たる段差面４３５が形成され、ケース４０とカバー５０とが組み付けられた状態で、側壁部４３ｓの側面と側壁５２の外面とが実質的に面一になっている。そのため、側壁部４３ｓの側面に対して側壁５２が突出しておらず、ケース４０における収容空間４１０を最大限確保しつつ、基板ユニット１のサイズを小型化できる。よって、車両の限られた搭載スペースに配置でき、搭載スペースを最大限活用できる。
【００４９】
（２）工具差込み凹部４３７が各係合部５８の延長下部、具体的には、側壁部４３ｓの側面に形成された段差面４３５において、側壁５２の各ロック片部５５の下端面に対向する部分にそれぞれ設けられている。工具差込み凹部４３７が各係合部５８の延長下部に設けられていることで、工具差込み凹部４３７と係合部５８との距離が近い。そのため、工具差込み凹部４３７に工具を差し込んで、係合部５８が構成されるロック片部５５を弾性変形させ易く、工具により係合凸部４３３と係合凹部５３との係合状態を解除し易い。よって、ケース４０とカバー５０との係合解除をより簡単にでき、カバー５０の取り外しが容易である。
【００５０】
工具差込み凹部４３７が段差面４３５に設けられていることから、側壁部４３ｓの段差面４３５と側壁５２の下端面との境界よりも下側に工具差込み凹部４３７が位置することになる。そのため、万一、基板ユニット１の外から水がかかったとき、カバー５０に付着した水滴が側壁５２を伝って工具差込み凹部４３７からカバー５０内に水が浸入することを抑制できる。よって、カバー５０の側壁５２に付着した水滴が工具差込み凹部４３７から段差面４３５を通ってケース４０内に浸入することを抑制でき、ケース４０内の回路基板１０を保護できる。
【００５１】
工具差込み凹部４３７が各係合部５８に対応して、側壁５２の各ロック片部５５の下端面に対向する部分にそれぞれ設けられているため、各係合部５８の係合を解除し易い。また、側壁５２の下端面のうち、ロック片部５５以外の部分、即ち、ロック片部５５を挟んで前後方向の両側に位置する部分の下端面は段差面４３５に当接するため（図４参照）、ケース４０に対するカバー５０のがたつきを防止できる。
【００５２】
（３）工具差込み凹部４３７にテーパ面４３７ａが形成されていることで、工具の先端部をテーパ面４３７ａに沿って案内でき、工具差込み凹部４３７に対して斜め後方から工具を差し込み易い。よって、工具差込み凹部４３７に対する工具の差し込み方向が斜め後方からの場合に、カバー５０の取り外し作業を行い易い。
【００５３】
（４）カバー５０に設けられた係合凹部５３が貫通孔であることで、ケース４０にカバー５０を組み付けた際に、ケース４０に設けられた係合凸部４３３が係合凹部（貫通孔）５３に係合したことを、貫通孔を通して目視で確認できる。したがって、係合凸部４３３と係合凹部５３との係合状態をカバー５０の外側から目視で容易に確認できるので、ケース４０へのカバー５０の組み付け作業を確実に行うことができる。また、側壁５２にスリット５４が形成され、ロック片部５５に係合凹部５３が設けられていることから、ロック片部５５が弾性変形して係合凹部５３に係合凸部４３３を容易に係合できる。
【００５４】
［変形例１］
上述した実施形態１では、工具差込み凹部４３７をケース４０（下部ケース４１）側、即ち側壁部４３ｓの段差面４３５に設ける場合を例に挙げて説明した（図４を参照）。工具差込み凹部は、段差面４３５ではなく、カバー５０側、即ち側壁５２の下端面に設けることも可能である。この場合、側壁５２の各ロック片部５５の下端縁を切り欠いて、工具差込み凹部を形成することが挙げられる。
【００５５】
上述した実施形態１では、工具差込み凹部４３７の内側面のうち、後側の内側面をテーパ面４３７ａとし、工具の差し込み方向が斜め後方の場合を例に挙げて説明した（図５参照）。工具の差し込み方向が斜め前方の場合は、工具差込み凹部４３７の前側（図４の左側、図５の下側）の内側面に、工具差込み凹部４３７の開口幅が外方から内方に向かって幅が狭くなるテーパ面を形成することが挙げられる。
【００５６】
［変形例３］
上述した実施形態１では、ケース４０（下部ケース４１）の側壁部４３ｓに係合凸部４３３を設け、カバー５０の側壁５２に係合凹部５３を設ける場合を例に挙げて説明した（図１、図２参照）。これに替えて、カバー５０の側壁５２に係合凸部を設け、ケース４０の側壁部４３ｓに係合凹部を設けることも可能である。具体的には、カバー５０の側壁５２に、ケース４０の側壁部４３ｓの側面に向かって内面から突出する係合凸部を設け、ケース４０の側壁部４３ｓの側面に係合凸部が係合される係合凹部を設けることが挙げられる。この場合であっても、係合凸部と係合凹部との係合により、ケース４０とカバー５０とを係合できる。
【００５７】
本発明はこれらの例示に限定されるものではなく、特許請求の範囲によって示され、特許請求の範囲と均等の意味および範囲内でのすべての変更が含まれることが意図される。
【符号の説明】
【００５８】
１  基板ユニット
１０  回路基板
２０  コネクタ部
４０  ケース
４１  下部ケース
４１０  収容空間
４２  底板部
４３  周壁部
４３ｆ  前壁部
４３ｓ  側壁部
４３０  下側凹部
４３１  差込溝
４３２  係合突起
４３３  係合凸部
４３４  端子台
４３５  段差面
４３７  工具差込み凹部
４３７ａ  テーパ面
４４  上部ケース
４５  天板部
４６  周壁
４６ｆ  前壁
４６０  上側凹部
４６２  係合孔
４８  開口部
５０  カバー
５１  上壁
５１０  覆部
５２  側壁
５３  係合凹部（貫通孔）
５４  スリット
５５  ロック片部
５８  係合部
６０  バスバー
６２  導出部
６２ｈ  挿通孔
８０  電源端子（スタッドボルト）
８２  軸部
１００  電線（ワイヤーハーネス）
１１０  接続端子
【図１】
0006755511.tif 000002
【図２】
0006755511.tif 000003
【図３】
0006755511.tif 000004
【図４】
0006755511.tif 000005
【図５】
0006755511.tif 000006